(57)【要約】      （修正有）【課題】看護者の勤務形態等に応じて被看護者からの呼び出しに迅速かつ適切に対応する。【解決手段】ベッド子機１１ａ〜１４ａ、１１ｂ〜１４ｂ、・・・、２１ａ〜２４ａ、２１ｂ〜２４ｂ、・・・、・・・からの呼び出しを受け付けるか否かの呼出受付情報を複数のナースコール親機５０ａ、５０ｂ、５０ｃ毎に設定・変更し、この呼出受付情報で割り当てられているベッド子機に拘わらず、当該ナースコール親機に接続されている全てのベッド子機からの呼び出しを集中ナースコール親機５０ｄに表示、記憶、通報させ、呼出受付情報で割り当てられていないベッド子機からの呼び出しは、全てのナースコール親機に表示、記憶、通報させる。また、複数のナースコール親機について何れか２台以上のナースコール親機の設定を統合し、同一ユニット内におけるナースコール親機への呼出情報を予め設定したナースコール親機に転送する。【選択図】図１
2006034711.tif 000002
【特許請求の範囲】
【請求項１】
病院、老人福祉施設等の施設内の各ベッドに設置されたベッド子機（１１ａ〜１４ａ、１１ｂ〜１４ｂ、・・・、２１ａ〜２４ａ、２１ｂ〜２４ｂ、・・・、・・・）の被看護者からの呼び出しを前記施設内に設置されたナースコール制御機（５４）を介して呼出情報として送信し、前記呼出情報を複数のナースコール親機（５０ａ、５０ｂ、５０ｃ）に分担して表示、記憶、通報するナースコールシステムであって、
前記ナースコール制御機は、前記ベッド子機からの呼び出しを前記複数のナースコール親機のうち何れのナースコール親機で受け付けるかを呼出受付情報として記憶するための記憶部（５４０）を備えたことを特徴とするナースコールシステム。
【請求項２】
前記ナースコール親機は、前記ベッド子機からの呼び出しを受け付けるか否かの呼出受付情報を設定するための設定部（５０１ａ、５０１ｂ、５０１ｃ）を備えたことを特徴とする請求項１記載のナースコールシステム。
【請求項３】
前記ナースコール制御機は、前記呼出受付情報で割り当てられているベッド子機に拘わらず、前記ナースコール親機に接続されている全てのベッド子機からの呼び出しを受け付ける集中ナースコール親機（５０ｄ）が接続されたことを特徴とする請求項１または請求項２記載のナースコールシステム。
【請求項４】
前記ナースコール親機は、前記呼出受付情報で割り当てられているベッド子機に対して一斉放送するための第１の一斉放送起動部（５０２ａ、５０２ｂ、５０２ｃ）と、前記ナースコール親機に接続されている全てのベッド子機に対して一斉放送するための第２の一斉放送起動部（５０３ａ、５０３ｂ、５０３ｃ）とを備えたことを特徴とする請求項１乃至請求項３のうち何れか１項記載のナースコールシステム。
【請求項５】
前記ナースコール制御機は、前記記憶部に記憶された呼出受付情報で割り当てられているベッド子機を除く他のベッド子機からの呼出情報を全てのナースコール親機に送信する機能を有することを特徴する請求項１乃至請求項４のうち何れか１項記載のナースコールシステム。
【請求項６】
前記ナースコール親機は、前記呼出情報を表示するための表示部（５００ａ、５００ｂ、５００ｃ）を備え、前記設定部は、前記表示部の表示位置を設定・変更することを特徴とする請求項２乃至請求項５のうち何れか１項記載のナースコールシステム。
【請求項７】
前記ナースコール制御機は、前記複数のナースコール親機のうち何れか２台以上のナースコール親機の設定を統合し単一化されたユニットとするかをユニット設定情報として記憶するための記憶部（５４０）を備えたことを特徴とする請求項１乃至請求項６のうち何れか１項記載のナースコールシステム。
【請求項８】
前記ナースコール親機は、前記複数のナースコール親機のうち２台以上のナースコール親機の設定を統合し単一化されたユニットとするための親機ユニット設定部（５０４ａ、５０４ｂ、５０４ｃ）を備えたことを特徴とする請求項７項記載のナースコールシステム。
【請求項９】
前記ナースコール親機は、前記親機ユニット設定部にて設定された同一ユニット内におけるナースコール親機への呼出情報を予め設定したナースコール親機に転送するための呼出転送部（５０５ａ、５０５ｂ、５０５ｃ）を備え、
前記ナースコール制御機は、前記同一ユニット内における前記ナースコール親機への呼出情報の送信を停止させる機能を有することを特徴とする請求項８記載のナースコールシステム。
【請求項１０】
前記ナースコール制御機は、基地局（５２）を介して携帯端末（５１ａ、５１ｂ、・・・）と通信するための交換機（５３）が接続され、前記携帯端末からの呼び出しを前記親機ユニット設定部にて設定された前記同一ユニット内における前記ナースコール親機に表示、記憶、通報する機能を有することを特徴とする請求項７乃至請求項９のうち何れか１項記載のナースコールシステム。
【請求項１１】
前記ナースコール制御機は、前記複数のナースコール親機毎またはユニット毎に、チーム・担当設定等の各種設定情報を記憶する記憶部（５４０）を備えたことを特徴とする請求項１乃至請求項１０のうち何れか１項記載のナースコールシステム。
【請求項１２】
前記ナースコール親機は、前記複数のナースコール親機毎またはユニット毎に、チーム・担当設定等の各種設定情報を設定するための設定部（５０１ａ、５０１ｂ、５０１ｃ）を備えたことを特徴とする請求項１１記載のナースコールシステム。
【発明の詳細な説明】
【技術分野】
【０００１】
本発明は病院や老人福祉施設等の施設内に設置されるナースコールシステムに係り、特に、看護者の勤務形態等に応じて被看護者からの呼び出しに迅速かつ適切に対応することができるナースコールシステムに関する。
【背景技術】
【０００２】
従来から、病院や老人福祉施設等の施設内に設置されるナースコールシステムとして、被看護者によるベッド子機（ナースコール子機と同意）からの呼び出しがあることを示す呼出情報をナースコール制御機へと送信し、このナースコール制御機の記憶部（図示せず）、例えばＲＯＭ（Read only Memory）に予め記憶されている複数のナースコール親機毎に設定された呼出受付情報のうち呼出元のベッド子機からの呼び出しを受け付けるナースコール親機にのみ呼出情報を送信してベッド子機からの呼び出しを表示、記憶、通報させることができるナースコールシステムが開示されている（例えば、非特許文献１を参照）。
【０００３】
【非特許文献１】アイホン総合カタログ  ２００４／２００５年版（３９９頁、４０１頁等）
【発明の開示】
【発明が解決しようとする課題】
【０００４】
しかしながら、従来例のナースコールシステムでは、複数のナースコール親機毎に設定された呼出受付情報のうちベッド子機からの呼び出しを受け付けるか否かの設定内容がナースコール制御機の記憶部に予め記憶されているが、この記憶部はＲＯＭで構成されているため書き換えができず、ベッドのレイアウト変更や被看護者の移動等を行う場合にはＲＯＭ自体を交換する必要があり、また、看護者の勤務形態等の都合で夜間時等に呼び出しを転送させるナースコール親機を変更したい、或いは、特定の診療科への被看護者が増加した場合等で一時的に特定のナースコール親機が呼び出しを受け付けるベッド子機の設定を変更したくても対応できなかった。
【０００５】
本発明は、前述の難点を解消するためになされたもので、被看護者によるベッド子機からの呼び出しが分担して表示、記憶、通報される複数のナースコール親機毎に当該呼び出しを受け付けるか否かを設定・変更するばかりでなく、複数のナースコール親機毎に呼び出しを転送させるナースコール親機を設定することにより、看護者の勤務形態等に応じて被看護者からの呼び出しに迅速かつ適切に対応することができるナースコールシステムを提供することを目的としている。
【課題を解決するための手段】
【０００６】
前述の目的を達成するため、本発明のナースコールシステムは、病院、老人福祉施設等の施設内の各ベッドに設置されたベッド子機の被看護者からの呼び出しを施設内に設置されたナースコール制御機を介して呼出情報として送信し、呼出情報を複数のナースコール親機に分担して表示、記憶、通報する当該システムである。ナースコール制御機は、ベッド子機からの呼び出しを複数のナースコール親機のうち何れのナースコール親機で受け付けるかを呼出受付情報として記憶するための記憶部を備えている。
【０００７】
また、本発明のナースコールシステムにおいて、ナースコール親機は、ベッド子機からの呼び出しを受け付けるか否かの呼出受付情報を設定するための設定部を備えている。
【０００８】
また、本発明のナースコールシステムにおいて、ナースコール制御機は、呼出受付情報で割り当てられているベッド子機に拘わらず、ナースコール親機に接続されている全てのベッド子機からの呼び出しを受け付ける集中ナースコール親機が接続されている。
【０００９】
また、本発明のナースコールシステムにおいて、ナースコール親機は、呼出受付情報で割り当てられているベッド子機に対して一斉放送するための第１の一斉放送起動部と、ナースコール親機に接続されている全てのベッド子機に対して一斉放送するための第２の一斉放送起動部とを備えている。
【００１０】
また、本発明のナースコールシステムにおいて、ナースコール制御機は、記憶部に記憶された呼出受付情報で割り当てられているベッド子機を除く他のベッド子機からの呼出情報を全てのナースコール親機に送信する機能を有している。
【００１１】
また、本発明のナースコールシステムにおいて、ナースコール親機は、呼出情報を表示するための表示部を備え、設定部は、表示部の表示位置を設定・変更することができる。  また、本発明のナースコールシステムにおいて、ナースコール制御機は、複数のナースコール親機のうち何れか２台以上のナースコール親機の設定を統合し単一化されたユニットとするかをユニット設定情報として記憶するための記憶部を備えている。
【００１２】
また、本発明のナースコールシステムにおいて、ナースコール親機は、複数のナースコール親機のうち２台以上のナースコール親機の設定を統合し単一化されたユニットとするための親機ユニット設定部を備えている。
【００１３】
また、本発明のナースコールシステムにおいて、ナースコール親機は、親機ユニット設定部にて設定された同一ユニット内におけるナースコール親機への呼出情報を予め設定したナースコール親機に転送するための呼出転送部を備えている。ナースコール制御機は、同一ユニット内におけるナースコール親機への呼出情報の送信を停止させる機能を有している。
【００１４】
また、本発明のナースコールシステムにおいて、ナースコール制御機は、基地局を介して携帯端末と通信するための交換機が接続され、携帯端末からの呼び出しを親機ユニット設定部にて設定された同一ユニット内におけるナースコール親機に表示、記憶、通報する機能を有している。
【００１５】
また、本発明のナースコールシステムにおいて、ナースコール制御機は、複数のナースコール親機毎またはユニット毎に、チーム・担当設定等の各種設定情報を記憶するための記憶部を備えている。
【００１６】
また、本発明のナースコールシステムにおいて、ナースコール親機は、複数のナースコール親機毎またはユニット毎に、チーム・担当設定等の各種設定情報を設定するための設定部を備えている。
【発明の効果】
【００１７】
本発明のナースコールシステムによれば、病院や老人福祉施設等の施設内において、看護者は、被看護者によるベッド子機からの呼び出しを受け付けるか否かの呼出受付情報を複数のナースコール親機毎、容易に設定・変更することができ、設定・変更された呼出受付情報は、ナースコール制御機の記憶部に記憶させることができる。
【００１８】
また、本発明のナースコールシステムによれば、複数のナースコール親機毎に設定された呼出受付情報で割り当てられているベッド子機に拘わらず、当該ナースコール親機に接続されている全てのベッド子機からの呼び出しを集中ナースコール親機に表示、記憶、通報させることにより、この集中ナースコール親機が設置された看護部長室内に在室中の看護者は、呼び出しの具体的な内容を把握できるばかりでなく、施設内全体の呼出履歴を一括で記録することができる。
【００１９】
また、本発明のナースコールシステムによれば、複数のナースコール親機毎に設定された呼出受付情報で割り当てられているベッド子機にのみ一斉放送を行うことにより、的確な範囲の被看護者へと看護者からの一斉放送の内容を通知できるばかりでなく、当該ナースコール親機に接続されている全てのベッド子機に対して一斉放送を行うことにより、呼び出しを受け付ける患者のみならず全ての患者に対して一斉放送の内容を的確に通知することができ、特に、避難誘導時のような緊急を要する場合に適切な指示が可能となる。
【００２０】
また、本発明のナースコールシステムによれば、複数のナースコール親機毎に設定された呼出受付情報で割り当てられていないベッド子機からの呼び出しを全てのナースコール親機に表示、記憶、通報させることにより、呼出受付情報の設定に誤りがあった場合でも的確な報知が可能となる。
【００２１】
また、本発明のナースコールシステムによれば、ナースコール親機の表示部に表示される呼出情報の表示位置を容易に設定・変更することができるため、呼出元の被看護者を担当する受け持ちの看護者毎のように表示レイアウトの自由度が増大する。
【００２２】
また、本発明のナースコールシステムによれば、複数のナースコール親機のうち何れか２台以上のナースコール親機の設定を統合し単一化させることにより、同一ユニット内の何れかのナースコール親機にて行われる設定のみでその他のナースコール親機での設定が不要となることから、それぞれのナースコール親機にて行われる設定内容にずれが生じるような誤りもなくなる。
【００２３】
また、本発明のナースコールシステムによれば、同一ユニット内におけるナースコール親機への呼出情報を予め設定したナースコール親機に転送する。一方、同一ユニット内におけるナースコール親機への呼出情報の送信が停止されることにより、看護者が不在となる割合が高い夜間時等の呼出転送が容易となるばかりでなく、複数のナースコール親機で共通の被看護者を受け持つ場合、同一ユニット内の何れかのナースコール親機にて転送設定を行えばよく転送設定が容易となり転送忘れを防ぐことができる。
【００２４】
また、本発明のナースコールシステムによれば、携帯端末からの呼び出しを、複数のナースコール親機のうち何れか２台以上のナースコール親機の設定を統合し単一化させれた同一ユニット内のナースコール親機に表示、記憶、通報させることができ呼出効率が高められる。
【００２５】
さらに、本発明のナースコールシステムによれば、複数のナースコール親機毎またはユニット毎に、患者を担当する看護者のチーム・担当設定等の各種設定情報を、容易に設定・変更することができ、設定・変更された各種設定情報は、ナースコール制御機の記憶部に記憶させることができる。
【発明を実施するための最良の形態】
【００２６】
以下、本発明のナースコールシステムを適用した最良の実施の形態例について、図面を参照して説明する。
【００２７】
図１は、本発明の実施例によるナースコールシステムの全体構成を示すシステム説明図である。
【００２８】
図１のシステム説明図に示すナースコールシステムは、病院や老人福祉施設等の施設内において、１０１号室、１０２号室、・・・、２０１号室、２０２号室、・・・、・・・のような病室毎各ベッドに設置され個別のベッド番号（後述する）が割り当てられており、被看護者、例えば患者が、看護者、例えば複数のナースステーション内や看護部長室内にそれぞれ在室中の看護師（以下、在室看護師という。）および／または後述する携帯端末５１ａ、５１ｂ、・・・をそれぞれ携行しながら施設内を巡回中の看護師（以下、巡回看護師という。）に対して通常の呼び出し（ナースコール呼び出し）や点滴の投与に関する不具合、終了を知らせる呼び出しを行い通話を成立させる、またはベッド付近の看護師（以下、病室先看護師という。）が他の看護師（在室看護師および／または巡回看護師）に対して支援を求めるためにスタッフコール等の緊急呼び出しを行い通話を成立させるとともに、在室看護師からの一斉放送が行われるベッド子機、ここでは、病室毎４台ずつのベッド子機１１ａ〜１４ａ、１１ｂ〜１４ｂ、・・・、２１ａ〜２４ａ、２１ｂ〜２４ｂ、・・・、・・・と、病室内に設置されたトイレを利用する患者がトイレ呼び出しを行うために用いられ、個別のトイレ番号（詳述せず）が割り当てられたトイレ子機、ここでは、病室毎１台ずつのトイレ子機３１ａ、３１ｂ、・・・、３２ａ、３２ｂ、・・・、・・・と、病室毎に設置、例えば病室の出入口近傍や廊下先に設置され個別の廊下灯番号（後述する）が割り当てられており、ベッド子機ラインＬ11a〜Ｌ14a、Ｌ11b〜Ｌ14b、・・・、Ｌ21a〜Ｌ24a、Ｌ21b〜Ｌ24b、・・・、・・・をそれぞれ介して接続された自病室内のベッド子機１１ａ〜１４ａ、１１ｂ〜１４ｂ、・・・、２１ａ〜２４ｂ、２１ｂ〜２４ｂ、・・・、・・・からの呼び出しを呼出種別毎に検出し、検出された呼出情報を第１、第２の各廊下灯ラインＬ40a、Ｌ40b、・・・を介して後述するナースコール制御機５４に送信する、またはトイレ子機ラインＬ31a、Ｌ31b、・・・、Ｌ32a、Ｌ32b、・・・、・・・をそれぞれ介して接続された自病室内のトイレ子機３１ａ、３１ｂ、・・・、３２ａ、３２ｂ、・・・、・・・からのトイレ呼び出しを検出し、検出された情報（呼出情報）を第１、第２の各廊下灯ラインＬ40a、Ｌ40b、・・・を介して後述するナースコール制御機５４に送信するための廊下灯４１ａ、４１ｂ、・・・、４２ａ、４２ｂ、・・・、・・・と、施設内各階の所定の場所、例えばナースステーション内に設置され個別の親機番号（後述する）が割り当てられており、後述するナースコール制御機５４の制御によってベッド子機１１ａ〜１４ａ、１１ｂ〜１４ｂ、・・・、２１ａ〜２４ａ、２１ｂ〜２４ｂ、・・・、・・・からの呼出種別毎異なる呼び出しがあること、またはトイレ子機３１ａ、３１ｂ、・・・、３２ａ、３２ｂ、・・・、・・・からのトイレ呼び出しがあることを報知するにあたり、前述の呼出情報が分担して表示、記憶、通報され、これらの報知を確認した在室看護師が通話を成立させるとともに、在室看護師がベッド子機１１ａ〜１４ａ、１１ｂ〜１４ｂ、・・・、２１ａ〜２４ａ、２１ｂ〜２４ｂ、・・・、・・・に対して個別呼び出し（詳述せず）や一斉放送するための複数のナースコール親機、ここでは、１階ナースステーション内に設置され前述の報知機能、個別呼出機能（詳述せず）、一斉放送（起動）機能および通話機能が一体的に構成されたボード型のナースコール親機５０ａと、ナースコール親機５０ａの設置場所とは異なる１階の別途のナースステーション内に設置され個別の親機番号（後述する）が割り当てられており、前述の報知機能、個別呼出機能（詳述せず）、一斉放送（起動）機能および通話機能が分離して構成されたパーソナルコンピュータおよびインターホン複合型のナースコール親機５０ｂと、２階ナースステーション内に設置され個別の親機番号（後述する）が割り当てられており、前述のナースコール親機５０ｂと同様な構成のパーソナルコンピュータおよびインターホン複合型のナースコール親機５０ｃと、看護部長室内に設置され個別の親機番号（後述する）が割り当てられており、後述するナースコール制御機５４の制御によってベッド子機１１ａ〜１４ａ、１１ｂ〜１４ｂ、・・・、２１ａ〜２４ａ、２１ｂ〜２４ｂ、・・・、・・・からの呼出種別毎異なる呼び出しがあること、またはトイレ子機３１ａ、３１ｂ、・・・、３２ａ、３２ｂ、・・・、・・・からのトイレ呼び出しがあることを報知するにあたり、前述の呼出情報が表示、記憶、通報され、これらの報知を確認した在室看護師が通話を成立させるための前述の呼出報知機能、通話機能が一体的に構成されたインターホン型の集中ナースコール親機５０ｄと、施設内を巡回中の巡回看護師によってそれぞれ携行され個別の端末番号（詳述せず）が割り当てられており、後述するナースコール制御機５４の制御によってベッド子機１１ａ〜１４ａ、１１ｂ〜１４ｂ、・・・、２１ａ〜２４ａ、２１ｂ〜２４ｂ、・・・、・・・からの呼出種別毎異なる呼び出しがあること、またはトイレ子機３１ａ、３１ｂ、・・・、３２ａ、３２ｂ、・・・、・・・からのトイレ呼び出しがあることを報知するにあたり、前述の呼出情報が表示、記憶、通報され、これらの報知を確認した巡回看護師が通話を成立させるとともに、巡回看護師が在室看護師を呼び出して通話を成立させるためのＰＨＳ（Personal Handyphone System）等の携帯端末５１ａ、５１ｂ、・・・と、携帯端末５１ａ、５１ｂ、・・・をそれぞれ無線制御するための基地局５２と、基地局ラインＬ41を介して接続された基地局５２を制御（回線制御）するためのデジタル方式の交換機５３と、第１、第２の各廊下灯ラインＬ40a、Ｌ40b、・・・を介して廊下灯４１ａ、４１ｂ、・・・、４２ａ、４２ｂ、・・・、・・・、第１の親機ラインＬ42aを介してナースコール親機５０ａ、第２の親機ラインＬ42bを介してナースコール親機５０ｂ、第３の親機ラインＬ42cを介してナースコール親機５０ｃ、第４の親機ラインＬ42dを介して集中ナースコール親機５０ｄ、交換機ラインＬ43を介して交換機５３をそれぞれ接続する中継器として施設内に設置、例えば施設内の共用部や何れかのナースステーション内に設置されており、これら接続された機器をそれぞれ制御するためのナースコール制御機５４とから構成されている。
【００２９】
なお、図１のシステム説明図において、ベッド子機１１ａ〜１４ａ、１１ｂ〜１４ｂ、・・・、２１ａ〜２４ａ、２１ｂ〜２４ｂ、・・・、・・・には、「１」〜「４」、「１」〜「４」、・・・、「１」〜「４」、「１」〜「４」、・・・、・・・のようなベッド番号がそれぞれ割り当てられている。また、廊下灯４１ａ、４１ｂ、・・・、４２ａ、４２ｂ、・・・、・・・には、「１１」、「１２」、・・・、「２１」、「２２」、・・・、・・・のような廊下灯番号がそれぞれ割り当てられている。
【００３０】
図１のシステム説明図において、複数のナースコール親機５０ａ、５０ｂ、５０ｃのうちナースコール親機５０ａには親機番号「１」が割り当てられており、前述の呼出情報や後述する各種操作情報を表示するためのＬＣＤ（Liquid Crystal Display）、有機ＥＬ（Electroluminescence）等や前述の呼出種別毎異なるパターンで点滅／点灯される患者毎に割り当てられた複数のＬＥＤ（Light Emitting Diode）等の表示部５００ａと、ベッド子機１１ａ〜１４ａ、１１ｂ〜１４ｂ、・・・、２１ａ〜２４ａ、２１ｂ〜２４ｂ、・・・、・・・からの呼び出しを受け付けるか否かの呼出受付情報を設定し、表示部５００ａの表示位置を設定・変更するとともに、当該複数のナースコール親機毎または後述するユニット毎にチーム・担当設定等の各種設定情報、例えば、患者を担当する看護者（在室看護師、巡回看護師）のチーム・担当設定等の各種設定情報を設定するための操作が行われるタッチパネル上の設定・変更ボタン（図示せず）や患者毎に割り当てられた複数の選局ボタン等の設定部５０１ａと、設定部５０１ａにて設定された呼出受付情報で割り当てられている当該ベッド子機に対して一斉放送するための操作が行われるタッチパネル上の一斉放送ボタン（図示せず）等の第１の一斉放送起動部５０２ａと、自ナースコール親機に接続されている全てのベッド子機、ここでは、ベッド子機１１ａ〜１４ａ、１１ｂ〜１４ｂ、・・・、２１ａ〜２４ａ、２１ｂ〜２４ｂ、・・・、・・・に対してそれぞれ一斉放送するための操作が行われるタッチパネル上の全局一斉放送ボタン（図示せず）等の第２の一斉放送起動部５０３ａと、当該複数のナースコール親機のうち何れか２台以上のナースコール親機の設定を統合し単一化されたユニットとするためのユニット設定情報を設定する操作が行われるタッチパネル上のユニット設定ボタン（図示せず）等の親機ユニット設定部５０４ａと、親機ユニット設定部５０４ａにて設定された同一ユニット内における当該ナースコール親機への呼出情報を予め設定したナースコール親機に転送するための操作が行われるタッチパネル上の呼出転送ボタン（図示せず）等の呼出転送部５０５ａと、ベッド子機１１ａ〜１４ａ、１１ｂ〜１４ｂ、・・・、２１ａ〜２４ａ、２１ｂ〜２４ｂ、・・・、・・・からの呼び出しがあることを呼出種別毎異なるパターンで通報（放音）するとともに、トイレ子機３１ａ、３１ｂ、・・・、３２ａ、３２ｂ、・・・、・・・からのトイレ呼び出しがあること、または携帯端末５１ａ、５１ｂ、・・・からの呼び出しがあることを通報（放音）し、これらの報知を確認した在室看護師が呼出元の患者または病室先看護師、或いは巡回看護師との間で通話を成立させるための音声を送受信するスピーカ、ハンドセット等の呼出通話部５０６ａとを備えている。
【００３１】
また、複数のナースコール親機５０ａ、５０ｂ、５０ｃのうちナースコール親機５０ｂ、５０ｃは同様な構成で親機番号「２」、「３」がそれぞれ割り当てられており、前述の呼出情報や後述する各種操作情報を表示するためのＬＣＤ、有機ＥＬ等の表示部５００ｂ、５００ｃと、ベッド子機１１ａ〜１４ａ、１１ｂ〜１４ｂ、・・・、２１ａ〜２４ａ、２１ｂ〜２４ｂ、・・・、・・・からの呼び出しを受け付けるか否かの呼出受付情報を設定し、表示部５００ｂ、５００ｃの表示位置を設定・変更するとともに、当該複数のナースコール親機毎または後述するユニット毎にチーム・担当設定等の各種設定情報、例えば、患者を担当する看護者（在室看護師、巡回看護師）のチーム・担当設定等の各種設定情報を設定するための操作が行われるタッチパネル上の設定・変更ボタン（図示せず）やキーボード、マウス等の設定部５０１ｂ、５０１ｃと、設定部５０１ｂ、５０１ｃにて設定された呼出受付情報で割り当てられている当該ベッド子機に対して一斉放送するための操作が行われるタッチパネル上の一斉放送ボタン（図示せず）やキーボード、マウス等の第１の一斉放送起動部５０２ｂ、５０２ｃと、自ナースコール親機に接続されている全てのベッド子機、ここでは、ベッド子機１１ａ〜１４ａ、１１ｂ〜１４ｂ、・・・、２１ａ〜２４ａ、２１ｂ〜２４ｂ、・・・、・・・に対してそれぞれ一斉放送するための操作が行われるタッチパネル上の全局一斉放送ボタン（図示せず）やキーボード、マウス等の第２の一斉放送起動部５０３ｂ、５０３ｃと、当該複数のナースコール親機のうち何れか２台以上のナースコール親機の設定を統合し単一化されたユニットとするためのユニット設定情報を設定する操作が行われるタッチパネル上のユニット設定ボタン（図示せず）やキーボード、マウス等の親機ユニット設定部５０４ｂ、５０４ｃと、親機ユニット設定部５０４ｂ、５０４ｃにて設定された同一ユニット内における当該ナースコール親機への呼出情報を予め設定したナースコール親機に転送するための操作が行われるタッチパネル上の呼出転送ボタン（図示せず）やキーボード、マウス等の呼出転送部５０５ｂ、５０５ｃと、ベッド子機１１ａ〜１４ａ、１１ｂ〜１４ｂ、・・・、２１ａ〜２４ａ、２１ｂ〜２４ｂ、・・・、・・・からの呼び出しがあることを呼出種別毎異なるパターンで通報（放音）するとともに、トイレ子機３１ａ、３１ｂ、・・・、３２ａ、３２ｂ、・・・、・・・からのトイレ呼び出しがあること、または携帯端末５１ａ、５１ｂ、・・・からの呼び出しがあることを通報（放音）し、これらの報知を確認した在室看護師が呼出元の患者または病室先看護師、或いは巡回看護師との間で通話を成立させるための音声を送受信するスピーカ、ハンドセット等の呼出通話部５０６ｂ、５０６ｃとを備えている。
【００３２】
また、集中ナースコール親機５０ｄには親機番号「８」が割り当てられており、前述の呼出情報や後述する各種操作情報を表示するためのＬＣＤ、有機ＥＬ等の表示部５００ｄと、ベッド子機１１ａ〜１４ａ、１１ｂ〜１４ｂ、・・・、２１ａ〜２４ａ、２１ｂ〜２４ｂ、・・・、・・・からの呼び出しがあることを呼出種別毎異なるパターンで通報（放音）するとともに、トイレ子機３１ａ、３１ｂ、・・・、３２ａ、３２ｂ、・・・、・・・からのトイレ呼び出しがあること、または携帯端末５１ａ、５１ｂ、・・・からの呼び出しがあることを通報（放音）し、これらの報知を確認した在室看護師が呼出元の患者または病室先看護師、或いは巡回看護師との間で通話を成立させるための音声を送受信するスピーカ、ハンドセット等の呼出通話部５０１ｄとを備えている。
【００３３】
また、携帯端末５１ａ、５１ｂ、・・・はそれぞれ同様な構成であり、前述の呼出情報や後述する各種操作情報を表示するためのＬＣＤ、有機ＥＬ等の表示部５１０ａ、５１０ｂ、・・・と、巡回看護師が複数のナースコール親機５０ａ、５０ｂ、５０ｃの親機ユニット設定部５０４ａ、５０４ｂ、５０４ｃにてそれぞれ設定された同一ユニット内におけるナースコール親機を呼び出すための呼出操作や前述の被看護者または病室内看護者からの呼び出しに応答するための応答操作が行われるテンキー、呼出ボタン、応答ボタン等の操作部５１１ａ、５１１ｂ、・・・と、ベッド子機１１ａ〜１４ａ、１１ｂ〜１４ｂ、・・・、２１ａ〜２４ａ、２１ｂ〜２４ｂ、・・・、・・・からの呼び出しがあることを呼出種別毎異なるパターンで通報（放音）するとともに、トイレ子機３１ａ、３１ｂ、・・・、３２ａ、３２ｂ、・・・、・・・からのトイレ呼び出しがあることを通報（放音）し、これらの報知を確認した巡回看護師が呼出元の患者または病室先看護師、或いは呼出先の在室看護師との間で通話を成立させるための音声を送受信するスピーカ、マイク等の呼出通話部５１２ａ、５１２ｂ、・・・とを備えている。
【００３４】
さらに、ナースコール制御機５４は、複数のナースコール親機５０ａ、５０ｂ、５０ｃの設定部５０１ａ、５０１ｂ、５０１ｃにて設定された前述の呼出受付情報やチーム・担当設定等の各種設定情報、当該ナースコール親機の親機ユニット設定部５０４ａ、５０４ｂ、５０４ｃにて設定された前述のユニット設定情報を記憶するための書き換え可能なＲＡＭ（Random Access Memory）や、前述の呼出受付情報、各種設定情報およびユニット設置情報が予め記憶されたＲＯＭ等の記憶部５４０が備えられており、この記憶部５４０には、前述の呼出受付情報、各種設定情報およびユニット設定情報の他、通常、廊下灯４１ａ、４１ｂ、・・・、４２ａ、４２ｂ、・・・、・・・の廊下灯番号「１１」、「１２」、・・・、「２１」、「２２」、・・・、・・・にそれぞれ割り当てられた病室の部屋番号（後述する）が予め記憶されている。
【００３５】
このように構成された本発明の実施例によるナースコールシステムにおいて、以下、具体的な動作について説明する。
【００３６】
図１のシステム説明図において、複数のナースコール親機５０ａ、５０ｂ、５０ｃがそれぞれ設置されたナースステーション内の在室看護師、先ず、ナースコール親機５０ａが設置された１階ナースステーション内の在室看護師は、（複数の）ベッド子機１１ａ〜１４ａ、１１ｂ〜１４ｂ、・・・、２１ａ〜２４ａ、２１ｂ〜２４ｂ、・・・、・・・のうち自ナースコール親機にて呼び出しを受け付ける当該ベッド子機を設定するにあたり、ここでは、１０１号室、１０２号室、・・・のように１階全ての病室内に設置された４台ずつのベッド子機１１ａ〜１４ａ、１１ｂ〜１４ｂ、・・・のみ呼び出しを受け付ける設定を行うにあたっては、設定部５０１ａを構成するエスカッションの集合による複数の選局ボタンのうち該当する選局ボタンを操作してベッド子機１１ａ〜１４ａ、１１ｂ〜１４ｂ、・・・をそれぞれ選択・決定する。ここで、設定部５０１ａの操作情報である呼出受付情報は、表示部５００ａに表示されるばかりでなく、適宜、信号処理された後、第１の親機ラインＬ42aを介してナースコール制御機５４へと伝送され、図２の説明図に示す親機呼出受付テーブルのように、ナースコール親機５０ａの親機番号「１」に割り当てられて記憶部５４０に記憶される。
【００３７】
なお、ナースコール親機５０ａが設置された１階ナースステーション内の在室看護師により行われた前述の呼び出しを受け付ける当該ベッド子機の設定は、１０１号室、１０２号室、・・・のように１階全ての病室内に設置された４台ずつのベッド子機１１ａ〜１４ａ、１１ｂ〜１４ｂ、・・・のみの設定だけでなく、適宜、設定部５０１ａを操作することにより、その設定の内容を変更することができる。
【００３８】
また、ナースコール親機５０ｂが設置された１階ナースステーション内の在室看護師についても前述のナースコール親機５０ａが設置された１階ナースステーション内の在室看護師と同様、（複数の）ベッド子機１１ａ〜１４ａ、１１ｂ〜１４ｂ、・・・、２１ａ〜２４ａ、２１ｂ〜２４ｂ、・・・、・・・のうち自ナースコール親機にて呼び出しを受け付ける当該ベッド子機を設定するにあたり、ここでは、１０２号室内に設置された４台のベッド子機１１ｂ〜１４ｂのみ呼び出しを受け付ける設定を行うにあたっては、設定部５０１ｂを構成するタッチパネル上の設定・変更ボタン（図示せず）やキーボード、マウス等を操作してベッド子機１１ｂ〜１４ｂの各ベッド番号「１」〜「４」やベッド子機１１ｂ〜１４ｂがベッド子機ラインＬ11b〜Ｌ14bを介して接続される廊下灯４１ｂの廊下灯番号「１２」を入力した後、表示部５００ｂに表示される４つのベッドの絵やイラスト等（図示せず）をそれぞれ選択・決定する。ここで、設定部５０１ｂの操作情報である呼出受付情報は、前述の４つのベッドの絵やイラスト等（図示せず）とともに表示部５００ｂに表示されるばかりでなく、適宜、信号処理された後、第２の親機ラインＬ42bを介してナースコール制御機５４へと伝送され、図２の説明図に示す親機呼出受付テーブルのように、ナースコール親機５０ｂの親機番号「２」に割り当てられて記憶部５４０に記憶される。
【００３９】
なお、ナースコール親機５０ｂが設置された１階ナースステーション内の在室看護師により行われた前述の呼び出しを受け付ける当該ベッド子機の設定は、１０２号室内に設置された４台のベッド子機１１ｂ〜１４ｂのみの設定だけでなく、適宜、設定部５０１ｂを操作することにより、その設定の内容を変更することができる。
【００４０】
さらに、ナースコール親機５０ｃが設置された２階ナースステーション内の在室看護師についても前述のナースコール親機５０ａ、５０ｂがそれぞれ設置された１階で異なる場所のナースステーション内の各在室看護師と同様、（複数の）ベッド子機１１ａ〜１４ａ、１１ｂ〜１４ｂ、・・・、２１ａ〜２４ａ、２１ｂ〜２４ｂ、・・・、・・・のうち自ナースコール親機にて呼び出しを受け付ける当該ベッド子機を設定するにあたり、ここでは、２０２号室内に設置された４台のベッド子機２１ｂ〜２４ｂのみ呼び出しを受け付ける設定を行うにあたっては、設定部５０１ｃを構成するタッチパネル上の設定・変更ボタン（図示せず）やキーボード、マウス等を操作してベッド子機２１ｂ〜２４ｂの各ベッド番号「１」〜「４」やベッド子機２１ｂ〜２４ｂがベッド子機ラインＬ21b〜Ｌ24bを介して接続される廊下灯４２ｂの廊下灯番号「２２」を入力した後、表示部５００ｃに表示される４つのベッドの絵やイラスト（図示せず）をそれぞれ選択・決定する。ここで、設定部５０１ｃの操作情報である呼出受付情報は、前述の４つのベッドの絵やイラスト等（図示せず）とともに表示部５００ｃに表示されるばかりでなく、適宜、信号処理された後、第３の親機ラインＬ42cを介してナースコール制御機５４へと伝送され、図２の説明図に示す親機呼出受付テーブルのように、ナースコール親機５０ｃの親機番号「３」に割り当てられて記憶部５４０に記憶される。
【００４１】
なお、ナースコール親機５０ｃが設置された２階ナースステーション内の在室看護師により行われた前述の呼び出しを受け付ける当該ベッド子機の設定は、２０２号室内に設置された４台のベッド子機２１ｂ〜２４ｂのみの設定だけでなく、適宜、設定部５０１ｃを操作することにより、その設定の内容を変更することができる。
【００４２】
次に、前述のような呼出受付情報の設定が行われたナースコールシステムにおいて、複数のナースコール親機５０ａ、５０ｂ、５０ｃがそれぞれ設置されたナースステーション内の在室看護師のうち、ここでは、ナースコール親機５０ｂが設置された１階ナースステーション内の在室看護師が第１の一斉放送起動部５０２ｂを構成するタッチパネル上の一斉放送ボタン（図示せず）をタッチ操作する、または当該一斉放送ボタンをキーボード、マウス等を使用して選択すると、自ナースコール親機の親機番号「２」を付加した一斉放送起動情報が生成される。この一斉放送起動情報は、適宜、信号処理された後、第２の親機ラインＬ42bを介してナースコール制御機５４へと伝送される。
【００４３】
ナースコール制御機５４は、記憶部５４０に予め記憶されている図２の説明図に示す親機呼出受付テーブルを参照して、ナースコール親機５０ｂからの一斉放送起動情報に付加されている親機番号「２」と複数のナースコール親機５０ａ、５０ｂ、５０ｃ毎の呼出受付情報に割り当てられた親機番号とを照合し、当該親機番号が一致したナースコール親機５０ｂにて呼び出しを受け付ける１０２号室内に設置された４台のベッド子機１１ｂ〜１４ｂの各ベッド番号「１」〜「４」と廊下灯４１ｂの廊下灯番号「１２」とをそれぞれ検出する。
【００４４】
また、ナースコール制御機５４は、前述の検出された各ベッド番号「１」〜「４」および廊下灯番号「１２」と一斉放送を可能にするための制御コマンドとを付加させた一斉放送制御情報を生成する。この一斉放送制御情報は、適宜、信号処理された後、第１の廊下ラインＬ40aを介して１階全ての廊下灯４１ａ、４１ｂ、・・・、第２の廊下ラインＬ40bを介して２階全ての廊下灯４２ａ、４２ｂ、・・・、・・・のように全ての廊下灯４１ａ、４１ｂ、・・・、４２ａ、４２ｂ、・・・、・・・へとそれぞれ伝送される。
【００４５】
全ての廊下灯４１ａ、４１ｂ、・・・、４２ａ、４２ｂ、・・・、・・・は、それぞれナースコール制御機５４からの一斉放送制御情報に付加されている廊下灯番号「１２」と自廊下灯の廊下灯番号とを照合し、一致した場合にのみ各ベッド番号「１」〜「４」に該当した自病室内のベッド子機が有する呼出通話機能を能動にする。ここでは、全ての廊下灯４１ａ、４１ｂ、・・・、４２ａ、４２ｂ、・・・、・・・のうち廊下灯４１ｂのみ当該廊下灯番号が一致し、この廊下灯４１ｂにベッド子機ラインＬ11b〜Ｌ14bを介してそれぞれ接続された１０２号室内のベッド子機１１ｂ〜１４ｂのみ当該ベッド番号がで一致することから、ベッド子機１１ｂ〜１４ｂが有する呼出通話機能がそれぞれ能動となり、ナースコール親機５０ｂが設置された１階ナースステーション内の在室看護師が呼出通話部５０６ｂを構成するハンドセットにて入力した音声をベッド子機１１ｂ〜１４ｂが有する呼出通話機能、例えばスピーカ（図示せず）から出力させるように、ナースコール親機５０ｂが設置された１階ナースステーション内の在室看護師は、呼び出しを受け付ける患者にのみ一斉放送の内容を的確に通知することができる。
【００４６】
次に、前述のような呼出受付情報（親機呼出受け付け）の設定が行われたナースコールシステムにおいて、複数のナースコール親機５０ａ、５０ｂ、５０ｃがそれぞれ設置されたナースステーション内の在室看護師のうち、ここでは、ナースコール親機５０ｂが設置された１階ナースステーション内の在室看護師が第２の一斉放送起動部５０３ｂを構成するタッチパネル上の全局一斉放送ボタン（図示せず）をタッチ操作する、または当該全局一斉放送ボタンをキーボード、マウス等を使用して選択すると、自ナースコール親機の親機番号「２」を付加した全局一斉放送起動情報が生成される。この全局一斉放送起動情報は、適宜、信号処理された後、前述の一斉放送起動情報と同様な経路を介してナースコール制御機５４へと伝送される。
【００４７】
ナースコール制御機５４は、記憶部５４０に予め記憶されている図２の説明図に示す親機呼出受付テーブルを参照して、ナースコール親機５０ｂからの全局一斉放送起動情報をもとに、ナースコール親機５０ｂに接続されている全てのベッド子機ベッド子機１１ａ〜１４ａ、１１ｂ〜１４ｂ、・・・、２１ａ〜２４ａ、２１ｂ〜２４ｂ、・・・、・・・の各ベッド番号「１」〜「４」、「１」〜「４」、・・・、「１」〜「４」、「１」〜「４」、・・・、・・・と全ての廊下灯４１ａ、４１ｂ、・・・、４２ａ、４２ｂ、・・・、・・・の各廊下灯番号「１１」、「１２」、・・・、「２１」、「２２」、・・・、・・・とをそれぞれ検出する。
【００４８】
また、ナースコール制御機５４は、前述の検出された各ベッド番号「１」〜「４」、「１」〜「４」、・・・、「１」〜「４」、「１」〜「４」、・・・、・・・および各廊下灯番号「１１」、「１２」、・・・、「２１」、「２２」、・・・、・・・と一斉放送を可能にするための制御コマンドとを付加させた全局一斉放送制御情報を生成する。この全局一斉放送制御情報は、適宜、信号処理された後、前述の一斉放送制御情報と同様な経路を介して全ての廊下灯４１ａ、４１ｂ、・・・、４２ａ、４２ｂ、・・・、・・・へとそれぞれ伝送される。
【００４９】
全ての廊下灯４１ａ、４１ｂ、・・・、４２ａ、４２ｂ、・・・、・・・は、それぞれナースコール制御機５４からの全局一斉放送制御情報に付加されている各廊下灯番号「１１」、「１２」、・・・、「２１」、「２２」、・・・、・・・と自廊下灯の廊下灯番号とを照合し、一致した場合にのみ各ベッド番号「１」〜「４」、「１」〜「４」、・・・、「１」〜「４」、「１」〜「４」、・・・、・・・に該当した自病室内のベッド子機が有する呼出通話機能を能動にする。ここでは、全ての廊下灯４１ａ、４１ｂ、・・・、４２ａ、４２ｂ、・・・、・・・にて当該廊下灯番号が一致し、これら全ての廊下灯４１ａ、４１ｂ、・・・、４２ａ、４２ｂ、・・・、・・・にベッド子機ラインＬ11a〜Ｌ14a、Ｌ11b〜Ｌ14b、・・・、Ｌ21a〜Ｌ24a、Ｌ21b〜Ｌ24b、・・・、・・・をそれぞれ介して接続された全てのベッド子機１１ａ〜１４ａ、１１ｂ〜１４ｂ、・・・、２１ａ〜２４ａ、２１ｂ〜２４ｂ、・・・にて当該ベッド番号が一致することから、ベッド子機１１ａ〜１４ａ、１１ｂ〜１４ｂ、２１ａ〜２４ａ、２１ｂ〜２４ｂ、・・・・・・が有する呼出通話機能がそれぞれ能動となり、ナースコール親機５０ｂが設置された１階ナースステーション内の在室看護師が呼出通話部５０６ｂを構成するハンドセットにて入力した音声を全てのベッド子機１１ａ〜１４ａ、１１ｂ〜１４ｂ、・・・、２１ａ〜２４ａ、２１ｂ〜２４ｂ、・・・が有する呼出通話機能、例えばスピーカ（図示せず）から出力させるように、ナースコール親機５０ｂが設置された１階ナースステーション内の在室看護師は、呼び出しを受け付ける患者のみならず全ての患者に対して一斉放送の内容を的確に通知することができ、特に、避難誘導時のような緊急を要する場合に適切な指示が可能となる。
【００５０】
なお、前述のような一斉放送（一斉放送、全局一斉放送）の動作は、ナースコール親機５０ｂが設置された１階ナースステーション内の在室看護師のみならず、ナースコール親機５０ａが設置された１階ナースステーション内の在室看護師、またはナースコール親機５０ｃが設置された２階ナースステーション内の在室看護師についても同様に行うことができる。
【００５１】
次に、前述のような呼出受付情報（親機呼出受け付け）の設定が行われたナースコールシステムにおいて、呼出受付情報（親機呼出受け付け）の設定が行われていない当該ベッド子機がベッドに設置されている患者、ここでは、２０１号室内でベッド子機２１ａがベッドに設置されている患者が通常呼び出しのために自ベッド子機の通常呼出機能（詳述せず）を能動にすると、このベッド子機２１ａにベッド子機ラインＬ21aを介して接続されている廊下灯４２ａでは、通常呼び出しを示す呼出種別データ、ベッド子機２１ａのベッド番号「１」および自廊下灯の廊下灯番号「２１」を付加させた呼出情報を生成する。この呼出情報は、適宜、信号処理された後、第２の廊下灯ラインＬ40bを介してナースコール制御機５４と自廊下灯を除く同一階（２階）の他の廊下灯４２ｂ、・・・とへそれぞれ伝送される。
【００５２】
なお、（廊下灯４２ａを除く）２階の他の廊下灯４２ｂ、・・・では、廊下灯４２ａからの呼出情報がナースコール制御機５４からの出力でないことにより、当該呼出情報を無効であると判断して何ら動作を行わない。
【００５３】
ナースコール制御機５４は、記憶部５４０に予め記憶されている図２の説明図に示す親機呼出受付テーブルを参照して、廊下灯４２ａからの呼出情報のうち呼出種別データ、ベッド番号「１」と廊下灯番号「２１」に割り当てられている病室の部屋番号「２０１」をもとに、２０１号室内でベッド子機２１ａがベッドに設置されている患者からの通常呼び出しがあることを検出し、このベッド子機２１ａからの呼び出しを受け付けるか否かの呼出受付情報を読み出す。
【００５４】
ここでは、複数のナースコール親機５０ａ、５０ｂ、５０ｃのうちベッド子機２１ａからの呼び出しを受け付ける当該ナースコール親機がなく設定漏れであるとナースコール制御機５４にて判断され、２０１号室内でベッド子機２１ａがベッドに設置されている患者からの通常呼び出しを全てのナースコール親機５０ａ、５０ｂ、５０ｃおよび集中ナースコール親機５０ｄと全ての携帯端末５１ａ、５１ｂ、・・・のうち呼出元の患者を受け持つ巡回看護師、ここでは、携帯端末５１ａを携行しながら施設内を巡回中の巡回看護師とに報知（表示、記憶、通報）させるため、当該ナースコール制御機は、前述の呼出種別データ、ベッド番号「１」および病室の部屋番号「２０１」を付加させた親機呼出報知情報と、前述の呼出種別データ、ベッド番号「１」、病室の部屋番号「２０１」および記憶部５４０から読み出した携帯端末５１ａを指定するための端末番号を付加させた端末呼出報知情報とをそれぞれ生成する。これら親機呼出報知情報および端末呼出報知情報のうち、親機呼出報知情報は、適宜、信号処理された後、第１〜第３の各親機ラインＬ42a、Ｌ42b、Ｌ42cを介して全てのナースコール親機５０ａ、５０ｂ、５０ｃと第４の親機ラインＬ42dを介して集中ナースコール親機５０ｄとへそれぞれ伝送される。一方、端末呼出報知情報は、適宜、信号処理された後、交換機ラインＬ43、交換機５３、基地局ラインＬ41、基地局５２へと伝送され、無線信号で全ての携帯端末５１ａ、５１ｂ、・・・へとそれぞれ伝送される。
【００５５】
複数のナースコール親機５０ａ、５０ｂ、５０ｃおよび集中ナースコール親機５０ｄのうちナースコール親機５０ａは、ナースコール制御機５４からの親機呼出報知情報に付加されている呼出種別データ、ベッド番号「１」および病室の部屋番号「２０１」をもとに、２０１号室内でベッド子機２１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５００ａを構成するＬＣＤ、有機ＥＬ等に表示させる、および／または表示部５００ａを構成する複数のＬＥＤのうち呼出元の患者に該当したＬＥＤを通常呼び出しを示すパターンで点滅／点灯させるとともに、通常呼び出しがある旨の呼出音や音声メッセージ等を呼出通話部５０６ａを構成するスピーカから出力させてナースコール親機５０ａが設置された１階ナースステーション内の在室看護師に対して報知（呼出報知）するばかりでなく、２０１号室内でベッド子機２１ａがベッドに設置されている患者からの通常呼び出しがある旨の呼出情報を記憶することにより、呼出受付情報の設定に誤りがあった場合でも的確な報知が可能となる。
【００５６】
また、複数のナースコール親機５０ａ、５０ｂ、５０ｃおよび集中ナースコール親機５０ｄのうちナースコール親機５０ｂ、５０ｃは、それぞれナースコール制御機５４からの親機呼出報知情報に付加されている呼出種別データ、ベッド番号「１」および病室の部屋番号「２０１」をもとに、２０１号室内でベッド子機２１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５００ｂ、５００ｃを構成するＬＣＤ、有機ＥＬ等に表示させるとともに、通常呼び出しがある旨の呼出音や音声メッセージ等を呼出通話部５０６ｂ、５０６ｃを構成するスピーカから出力させてナースコール親機５０ｂが設置された１階ナースステーション内の在室看護師およびナースコール親機５０ｃが設置された２階ナースステーション内の在室看護師に対してそれぞれ報知（呼出報知）するばかりでなく、２０１号室内でベッド子機２１ａがベッドに設置されている患者からの通常呼び出しがある旨の呼出情報をそれぞれ記憶することにより、前述のナースコール親機５０ａと同様、呼出受付情報の設定に誤りがあった場合でも的確な報知が可能となる。
【００５７】
また、複数のナースコール親機５０ａ、５０ｂ、５０ｃおよび集中ナースコール親機５０ｄのうち集中ナースコール親機５０ｄは、ナースコール制御機５４からの親機呼出報知情報に付加されている呼出種別データ、ベッド番号「１」および病室の部屋番号「２０１」をもとに、２０１号室内でベッド子機２１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５００ｄを構成するＬＣＤ、有機ＥＬ等に表示させるとともに、通常呼び出しがある旨の呼出音や音声メッセージ等を呼出通話部５０１ｄを構成するスピーカから出力させて看護部長室内の在室看護師に対して報知（呼出報知）するばかりでなく、２０１号室内でベッド子機２１ａがベッドに設置されている患者からの通常呼び出しがある旨の呼出情報を記憶する。
【００５８】
なお、集中ナースコール親機５０ｄは、複数のナースコール親機５０ａ、５０ｂ、５０ｃの設定部５０１ａ、５０１ｂ、５０１ｃにて設定された呼出受付情報で割り当てられている当該ベッド子機、ここでは、前述のベッド子機２１ａに拘わらず、全てのベッド子機１１ａ〜１４ａ、１１ｂ〜１４ｂ、・・・、２１ａ〜２４ａ、２１ｂ〜２４ｂ、・・・、・・・からの呼び出しを受け付けるようにナースコール制御機５４によって制御されており、この集中ナースコール親機５０ｄが設置された看護部長室内に在室中の看護者は、呼び出しの具体的な内容を把握できるばかりでなく、施設内全体の呼出履歴を一括で記録することができる。
【００５９】
さらに、携帯端末５１ａ、５１ｂ、・・・は、それぞれナースコール制御機５４からの端末呼出報知情報に付加されている端末番号と自端末の端末番号とを照合し、一致した場合にのみ呼出種別データ、ベッド番号「１」および病室の部屋番号「２０１」をもとに所定の呼出報知を行う。ここでは、携帯端末５１ａのみ当該端末番号が一致して２０１号室内でベッド子機２１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５１０ａを構成するＬＣＤ、有機ＥＬ等に表示させるとともに、通常呼び出しがある旨の呼出音や音声メッセージ等を呼出通話部５１１ａを構成するスピーカから出力させて呼出元の患者を受け持つ担当の巡回看護師に対して報知（呼出報知）するばかりでなく、２０１号室内でベッド子機２１ａがベッドに設置されている患者からの通常呼び出しがある旨の呼出情報を記憶する。
【００６０】
なお、２０１号室内でベッド子機２１ａがベッドに設置されている患者からの通常呼び出しがあることを前述の報知（呼出報知）をもとに確認したそれぞれの在室看護師および携帯端末５１ａを携行しながら施設内を巡回中の巡回看護師のうち、最先に応答した看護師が呼出元の患者との間で通話を成立させるための動作は、先行技術等で開示されていることから説明は省略する。
【００６１】
次に、前述のような呼出情報（病室の部屋番号、ベッド番号、通常呼び出しがある旨等）が文字や絵データで表示部５００ａ、５００ｂ、５００ｃを構成するＬＣＤ、有機ＥＬ等に表示される複数のナースコール親機５０ａ、５０ｂ、５０ｃがそれぞれ設置された１階で異なる場所のナースステーション内の在室看護師および２階のナースステーション内の在室看護師は、設定部５０１ａ、５０１ｂ、５０１ｃを操作して表示部５００ａ、５００ｂ、５００ｃの表示位置を設定・変更する、例えば呼出元の患者を担当する受け持ちの看護師毎のように表示位置を設定・変更することができレイアウトの自由度が増大する。
【００６２】
次に、複数のナースコール親機５０ａ、５０ｂ、５０ｃがそれぞれ設置されたナースステーション内の在室看護師は、何れか２台以上の当該ナースコール親機の設定を統合して単一化されたユニットとするにあたり、ここでは、ナースコール親機５０ａが設置された１階ナースステーション内の在室看護師が自ナースコール親機５０ａおよび１階で異なる場所のナースステーション内に設置されたナースコール親機５０ｂの２台の当該ナースコール親機の設定を統合して単一化されたユニットとする、例えば、ユニット番号が「１」のユニットとして設定するにあたっては、親機ユニット設定部５０４ａを構成するタッチパネル上のユニット設定ボタン（図示せず）をタッチ操作して自ナースコール親機５０ａおよびナースコール親機５０ｂをそれぞれ選択・決定する。ここで、親機ユニット設定部５０４ａの操作情報であるユニット設定情報は、表示部５００ａを構成するＬＣＤ、有機ＥＬ等に表示されるばかりでなく、適宜、信号処理された後、第１の親機ラインＬ42aを介してナースコール制御機５４へと伝送され、図２の説明図に示すユニット設定・呼出転送テーブルのように、ナースコール親機５０ａ、５０ｂの各親機番号「１」、「２」に割り当てられて記憶部５４０に記憶される。
【００６３】
また、図２の説明図に示すユニット設定・呼出転送テーブルをナースコール制御機５４の記憶部５４０に記憶させるにあたり、この記憶部５４０には、ユニット番号が「１」のユニットとして設定されたナースコール親機５０ａ、５０ｂへとそれぞれ呼び出しを受け付ける当該ベッド子機のベッド番号が、ユニット番号「１」に割り当てられてユニット呼出受付テーブルに示すように記憶される。ここでは、１０１号室、１０２号室、・・・のように１階全ての病室内に設置された４台ずつのベッド子機１１ａ〜１４ａ、１１ｂ〜１４ｂ、・・・のベッド番号「１」〜「４」、「１」〜「４」がユニット番号「１」に割り当てられて記憶される。
【００６４】
なお、前述のような複数のナースコール親機５０ａ、５０ｂ、５０ｃのうち何れか２台以上の当該ナースコール親機として、ナースコール親機５０ａ、５０ｂの設定を統合して単一化されたユニット番号が「１」のユニットとして設定するための操作は、ナースコール親機５０ａが設置された１階ナースステーション内の在室看護師のみならず、ナースコール親機５０ｂが設置された２階ナースステーション内の在室看護師が親機ユニット設定部５０４ｂを構成するタッチパネル上のユニット設定ボタン（図示せず）、キーボード、マウス等を使用して選択・決定する場合にも同様な設定を行うことができ、同一ユニット内の何れかのナースコール親機にて行われる設定のみでその他のナースコール親機での設定が不要となることから、それぞれのナースコール親機にて行われる設定内容にずれが生じるような誤りもなくなる。
【００６５】
次に、前述のような複数のナースコール親機５０ａ、５０ｂ、５０ｃのうち何れか２台以上の当該ナースコール親機、すなわち、ナースコール親機５０ａ、５０ｂの設定を統合して単一化されたユニット番号が「１」のユニットとするための設定が行われているナースコールシステムにおいて、ナースコール親機５０ａが設置された１階ナースステーション内の在室看護師が、ユニット番号が「１」である同一ユニット内のナースコール親機５０ａ、５０ｂへのそれぞれの呼び出しを別途のナースコール親機、ここでは、２階ナースステーション内に設置されたナースコール親機５０ｃに転送させるにあたっては、呼出転送部５０５ａを構成するタッチパネル上の呼出転送ボタン（図示せず）を操作してナースコール親機５０ｃを選択・決定する。ここで、呼出転送部５０５ａの操作情報である呼出転送情報は、表示部５００ａを構成するＬＣＤ、有機ＥＬ等に表示、例えば「転送中」のように文字や絵データで表示されるばかりでなく、適宜、信号処理された後、第１の親機ラインＬ42aを介してナースコール制御機５４へと伝送され、図２の説明図に示すユニット設定・呼出転送テーブルのように、ユニット番号が「１」の同一ユニットとして設定されているナースコール親機５０ａ、５０ｂの各親機番号「１」、「２」に割り当てられて、転送先であるナースコール親機５０ｃの親機番号「３」が記憶部５４０に記憶される。
【００６６】
また、ナースコール制御機５４は、図２の説明図に示すユニット設定・呼出転送テーブルのように記憶部５４０に記憶させた呼出転送情報として、ナースコール親機５０ｃが転送先に設定された旨の呼出転送先設定情報を生成する。この呼出転送先設定情報は、適宜、信号処理された後、第３の親機ラインＬ42cを介してナースコール親機５０ｃへと伝送される。
【００６７】
さらに、ナースコール親機５０ｃは、ナースコール制御機５４からの呼出転送先設定情報をもとに自親機が転送先であることを検出し、その旨を表示部５００ｃを構成するＬＣＤ、有機ＥＬ等に表示、例えば「被転送中」のように表示させる。
【００６８】
なお、前述のような呼出転送の設定が行われたとき、ナースコール親機５０ａとともにユニット番号が「１」で同一ユニットの当該ナースコール親機として設定されているナースコール親機５０ｂが設置された１階ナースステーション内の在室看護師が呼出転送部５０５ｂを構成するタッチパネル上の呼出転送ボタン（図示せず）を操作する、または当該呼出転送ボタンをキーボード、マウス等を使用して選択すると、表示部５００ｂを構成するＬＣＤ、有機ＥＬ等には、「転送中」のような文字や絵データが表示される。
【００６９】
次に、前述のような呼出受付情報（親機呼出受け付け）の設定、複数のナースコール親機５０ａ、５０ｂ、５０ｃのうち何れか２台以上の当該ナースコール親機、すなわち、ナースコール親機５０ａ、５０ｂの設定を統合して単一化されたユニット番号が「１」のユニットとするための設定（ユニット設定、ユニット呼出受け付け）、および呼出転送の設定が行われているナースコールシステムにおいて、ここでは、１０１号室内でベッド子機１１ａがベッドに設置されている患者が通常呼び出しのために自ベッド子機の通常呼出機能（詳述せず）を能動にすると、このベッド子機１１ａにベッド子機ラインＬ11aを介して接続されている廊下灯４１ａでは、通常呼び出しを示す呼出種別データ、ベッド子機１１ａのベッド番号「１」および自廊下灯４１ａの廊下灯番号「１１」を付加させた呼出情報を生成する。この呼出情報は、適宜、信号処理された後、第１の廊下灯ラインＬ40aを介してナースコール制御機５４と自廊下灯を除く同一階（１階）の他の廊下灯４１ｂ、・・・とへそれぞれ伝送される。
【００７０】
なお、（廊下灯４１ａを除く）１階の他の廊下灯４１ｂ、・・・では、廊下灯４１ａからの呼出情報がナースコール制御機５４からの出力でないことにより、当該呼出情報を無効であると判断して何ら動作を行わない。
【００７１】
ナースコール制御機５４は、記憶部５４０に予め記憶されている図２の説明図に示す親機呼出受付テーブル、ユニット呼出受付テーブルおよびユニット設定・呼出転送テーブルを参照して、廊下灯４１ａからの呼出情報のうち呼出種別データ、ベッド番号「１」と廊下灯番号「１１」に割り当てられている病室の部屋番号「１０１」をもとに、１０１号室内でベッド子機１１ａがベッドに設置されている患者からの通常呼び出しがあることを検出し、このベッド子機１１ａからの呼び出しを受け付けるか否かの呼出受付情報を読み出すとともに、読み出された呼出受付情報に該当するナースコール親機にて呼出転送の設定が行われていた場合には、転送先である当該ナースコール親機の親機番号を検出する。ここでは、ベッド子機１１ａからの呼び出しを受け付ける当該ナースコール親機がナースコール親機５０ａであり、このナースコール親機５０ａとともにユニット番号が「１」で同一ユニットとして設定されているナースコール親機５０ｂの転送先として、ナースコール親機５０ｃの親機番号「３」が検出される。
【００７２】
また、ナースコール制御機５４は、１０１号室内でベッド子機１１ａがベッドに設置されている患者からの通常呼び出しを前述の検出された親機番号「３」に該当するナースコール親機５０ｃおよび集中ナースコール親機５０ｄと全ての携帯端末５１ａ、５１ｂ、・・・のうち呼出元の患者を受け持つ巡回看護師、ここでは、携帯端末５１ａを携行しながら施設内を巡回中の巡回看護師とに報知（表示、記憶、通報）させるため、前述の呼出種別データ、ベッド番号「１」および病室の部屋番号「１０１」を付加させた親機呼出報知情報と、前述の呼出種別データ、ベッド番号「１」、病室の部屋番号「１０１」および記憶部５４０から読み出した携帯端末５１ａを指定するための端末番号を付加させた端末呼出報知情報とをそれぞれ生成する。これら親機呼出報知情報および端末呼出報知情報のうち、親機呼出報知情報は、適宜、信号処理された後、第１、第２の各親機ラインＬ42a、Ｌ42bを介してユニット番号が「１」である同一ユニット内のナースコール親機５０ａ、５０ｂへは伝送されずに、第３の親機ラインＬ42cを介してナースコール親機５０ｃと第４の親機ラインＬ42dを介して集中ナースコール親機５０ｄとへそれぞれ伝送される。一方、端末呼出報知情報は、適宜、信号処理された後、交換機ラインＬ43、交換機５３、基地局ラインＬ41、基地局５２へと伝送され、無線信号で全ての携帯端末５１ａ、５１ｂ、・・・へとそれぞれ伝送される。
【００７３】
ナースコール親機５０ｃおよび集中ナースコール親機５０ｄのうちナースコール親機５０ｃは、ナースコール制御機５４からの親機呼出報知情報に付加されている呼出種別データ、ベッド番号「１」および病室の部屋番号「１０１」をもとに、１０１号室内でベッド子機１１ａがベッドに設置されている患者からの通常呼び出しがあることを検出し、その旨を呼出報知（表示、記憶、通報）するにあたり、具体的な呼出情報（病室の部屋番号、ベッド番号、通常呼び出しがある旨等）を文字や絵データで表示部５００ｃを構成するＬＣＤ、有機ＥＬ等に表示させるとともに、通常呼び出しがある旨の呼出音や音声メッセージ等を呼出通話部５０６ｃを構成するスピーカから出力させてナースコール親機５０ｃが設置された２階ナースステーション内の在室看護師に対して報知（呼出報知）を行うばかりでなく、１０１号室内でベッド子機１１ａがベッドに設置されている患者からの通常呼び出しがある旨の呼出情報を記憶する。一方、ユニット番号が「１」である同一ユニット内のナースコール親機５０ａ、５０ｂがそれぞれ設置された１階で異なる場所のナースステーション内の在室看護師に対しては何ら報知（呼出報知）を行わず、ナースステーション内に在室看護者が不在となる割合が高い夜間時等の呼出転送が容易となり、さらに、複数のナースコール親機５０ａ、５０ｂ、５０ｃで共通の患者を受け持つ場合、同一ユニット内の何れかのナースコール親機にて転送設定を行えばよく転送設定が容易となり転送忘れを防ぐことができる。
【００７４】
また、ナースコール親機５０ｃおよび集中ナースコール親機５０ｄのうち集中ナースコール親機５０ｄは、ナースコール制御機５４からの親機呼出報知情報に付加されている呼出種別データ、ベッド番号「１」および病室の部屋番号「１０１」をもとに、１０１号室内でベッド子機１１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５００ｄを構成するＬＣＤ、有機ＥＬ等に表示させるとともに、通常呼び出しがある旨の呼出音や音声メッセージ等を呼出通話部５０１ｄを構成するスピーカから出力させて看護部長室内の在室看護師に対して呼出報知を行うばかりでなく、１０１号室内でベッド子機１１ａがベッドに設置されている患者からの通常呼び出しがある旨の呼出情報を記憶する。
【００７５】
さらに、携帯端末５１ａ、５１ｂ、・・・は、それぞれナースコール制御機５４からの端末呼出報知情報に付加されている端末番号と自端末の端末番号とを照合し、一致した場合にのみ呼出種別データ、ベッド番号「１」および病室の部屋番号「１０１」をもとに所定の呼出報知を行う。ここでは、携帯端末５１ａのみ当該端末番号が一致して１０１号室内でベッド子機１１ａがベッドに設置されている患者からの通常呼び出しがあることを検出し、その旨を報知（表示、記憶、通報）するにあたり、具体的な呼出情報（病室の部屋番号、ベッド番号、通常呼び出しがある旨等）を文字や絵データで表示部５１０ａを構成するＬＣＤ、有機ＥＬ等に表示させるとともに、通常呼び出しがある旨の呼出音や音声メッセージ等を呼出通話部５１１ａを構成するスピーカから出力させて呼出元の患者を受け持つ担当の巡回看護師に対して報知（呼出報知）を行うばかりでなく、１０１号室内でベッド子機１１ａがベッドに設置されている患者からの通常呼び出しがある旨の呼出情報を記憶する。
【００７６】
なお、１０１号室内でベッド子機１１ａがベッドに設置されている患者からの通常呼び出しがあることを前述の呼出報知（表示、通報）をもとに確認したそれぞれの在室看護師および携帯端末５１ａを携行しながら施設内を巡回中の巡回看護師のうち、最先に応答した看護師が呼出元の患者との間で通話を成立させるための動作は、先行技術等で開示されていることから説明は省略する。
【００７７】
次に、前述のような複数のナースコール親機５０ａ、５０ｂ、５０ｃのうち何れか２台以上の当該ナースコール親機の設定、すなわち、ナースコール親機５０ａ、５０ｂの設定を統合して単一化されたユニット番号が「１」のユニットとするための設定（ユニット設定、ユニット呼出受け付け）が行われているナースコールシステムにおいて、携帯端末５１ａ、５１ｂ、・・・を携行しながら施設内を巡回中の巡回看護師のうち、ここでは、携帯端末５１ｂを携行しながら施設内を巡回中の巡回看護師がナースコール親機５０ｂが設置された１階ナースステーション内の在室看護師を呼び出すために操作部５１１ｂを構成するテンキー、呼出ボタンを使用して所定の呼出操作を行うと、この操作情報が表示部５１０ｂを構成するＬＣＤ、有機ＥＬ等に表示されるばかりでなく、ナースコール親機５０ｂを指定するための親機番号「２」、自携帯端末の端末番号を付加した呼出情報が生成される。この呼出情報は、適宜、無線信号に信号処理された後、基地局５２へと伝送され、さらに、基地局５２にて信号処理された電気信号として基地局ラインＬ41、交換機５３、交換機ラインＬ43を介してナースコール制御機５４へと伝送される。
【００７８】
ナースコール制御機５４は、携帯端末５１ｂからの呼出情報のうち親機番号「２」および端末番号をもとに、携帯端末５１ｂを携行しながら施設内を巡回中の巡回看護師からナースコール親機５０ｂが設置された１階ナースステーション内の在室看護師への呼び出しがあることを検出するとともに、記憶部５４０に予め記憶されている図２の説明図に示すユニット設定・呼出転送テーブルを参照して、ナースコール親機５０ｂとともにユニット番号が「１」の同一ユニットとして設定されているナースコール親機５０ａの親機番号「１」を検出する。
【００７９】
また、ナースコール制御機５４は、携帯端末５１ｂを携行しながら施設内を巡回中の巡回看護師からの呼び出しを、前述の検出された親機番号「１」および携帯端末５１ｂからの呼出情報に付加されている親機番号「２」に該当した各ナースコール親機５０ａ、５０ｂに報知（表示、記憶、通報）させるため、前述の端末番号を付加させた親機呼出報知情報を生成する。この親機呼出報知情報は、第１の親機ラインＬ42aを介してナースコール親機５０ａと第２の親機ラインＬ42bを介してナースコール親機５０ｂとへそれぞれ伝送される。
【００８０】
ナースコール親機５０ａ、５０ｂは、それぞれナースコール制御機５４からの親機呼出報知情報に付加されている端末番号をもとに、携帯端末５１ｂを携行しながら施設内を巡回中の巡回看護師からの呼び出しがあることを検出し、その旨を報知（表示、記憶、通報）するにあたり、具体的な呼出情報（端末番号等）を文字や絵データで表示部５００ａ、５００ｂを構成するＬＣＤ、有機ＥＬ等に表示させるとともに、同様な呼び出しがある旨の呼出音や音声メッセージ等を呼出通話部５０６ａ、５０６ｂを構成するスピーカから出力させて１階で異なる場所のナースステーション内の各在室看護師に対してそれぞれ報知（呼出報知）を行うばかりでなく、携帯端末５１ｂを携行しながら施設内を巡回中の巡回看護師からの呼び出しがある旨の呼出情報を記憶するように、携帯端末５１ｂを携行しながら施設内を巡回中の巡回看護師は、ナースコール親機５０ｂが設置された１階ナースステーション内の在室看護師を呼び出すための単一の操作により、ナースコール親機５０ｂとともに同一ユニットとして設定されているナースコール親機５０ａに併せて報知（表示、記憶、通報）させることができ呼出効率が高められる。
【００８１】
なお、携帯端末５１ｂを携行しながら施設内を巡回中の巡回看護師からの呼び出しがあることを確認したそれぞれの在室看護師のうち、最先に応答した在室看護師が呼出元の巡回看護師との間で通話を成立させるための動作は、先行技術等で開示されていることから説明は省略する。
【００８２】
次に、前述のような呼出受付情報の設定（親機呼出受け付け）、または複数のナースコール親機５０ａ、５０ｂ、５０ｃのうち何れか２台以上の当該ナースコール親機、すなわち、ナースコール親機５０ａ、５０ｂの設定を統合して単一化されたユニット番号が「１」のユニットとするための設定（ユニット設定、ユニット呼出受け付け）が行われているナースコールシステムにおいて、複数のナースコール親機５０ａ、５０ｂ、５０ｃがそれぞれ設置されたナースステーション内の在室看護師は、患者を担当する看護師（在室看護師、巡回看護師）のチーム・担当番号等の各種設定情報を当該ナースコール親機毎またはユニット毎に設定するにあたって、設定部５０１ａ、５０１ｂ、５０１ｃを構成するタッチパネル上の設定・変更ボタン（図示せず）やキーボード、マウス等を操作して各種設定情報を入力する。ここで、設定部５０１ａ、５０１ｂ、５０１ｃの操作情報である各種呼出受付情報は、表示部５００ａ、５００ｂ、５００ｃに表示されるばかりでなく、適宜、信号処理された後、第１〜第３の各親機ラインＬ42a、Ｌ42b、Ｌ42cを介してナースコール制御機５４へと伝送され、当該ナースコール親機の親機番号「１」、「２」、「３」にそれぞれ割り当てられて記憶部５４０に記憶される、または図２のユニット設定・呼出転送テーブルに示すように予め設定されているユニット毎に記憶部５４０に記憶される。
【００８３】
また、ナースコール制御機５４は、記憶部５４０に記憶された各種設定情報をもとに、ベッド子機１１ａ〜１４ａ、１１ｂ〜１４ｂ、・・・、２１ａ〜２４ａ、２１ｂ〜２４ｂ、・・・、・・・から複数のナースコール親機５０ａ、５０ｂ、５０ｂ、集中ナースコール親機５０ｄおよび携帯端末５１ａ、５１ｂ、・・・への呼出制御、携帯端末５１ａ、５１ｂ、・・・から複数のナースコール親機５０ａ、５０ｂ、５０ｂへの呼出制御等を適宜、行うことができる。
【産業上の利用可能性】
【００８４】
本発明の実施例によるナースコールシステムにおいて、複数のナースコール親機５０ａ、５０ｂ、５０ｃの表示部５００ａ、５００ｂ、５００ｃ、集中ナースコール親機５０ｄの表示部５００ｄおよび携帯端末５１ａ、５１ｂ、・・・の表示部５１０ａ、５１０ｂ、・・・にそれぞれ表示させる呼出情報は、病室の部屋番号、ベッド番号、呼出種別のデータ等であったが、病院内ネットワークに接続され、患者名、患者に関する重症度、救護区分、感染症、診療科目、チーム担当番号等の患者情報を記憶・検索するためのオーダリングシステム等のデータベース装置を複数のナースコール親機５０ａ、５０ｂ、５０ｃまたはナースコール制御機５４に接続することにより、それぞれの表示部５００ａ、５００ｂ、５００ｃ、５００ｄ、５１０ａ、５１０ｂ、・・・に表示されるデータとして、呼出元の患者の病室番号、ベッド番号、呼出種別のデータのみならず患者名、患者に関する重症度、救護区分、感染症、診療科目、チーム担当番号等の患者管理データおよび医療看護データを併せて表示させることもでき、より詳細な報知（呼出報知）が可能となる。
【００８５】
また、本発明の実施例によるナースコールシステムでは、複数のナースコール親機５０ａ、５０ｂ、５０ｃのうち２台以上の当該ナースコール親機の設定を統合して単一化されたユニットとするにあたり、２台以上のナースコール親機５０ａ、５０ｂの設定を統合して単一化されたユニット番号が「１」のユニットとして設定したが、単一化されたユニットとする当該ナースコール親機の親機番号およびユニット番号、呼出転送先として設定する当該ナースコール親機の親機番号は任意に設定・変更することができるばかりでなく、同一システム内に２つ以上のユニットを設定することもできる。
【００８６】
また、本発明の実施例によるナースコールシステムでは、２台以上の当該ナースコール親機の設定を統合して単一化されたユニットとして設定され、同一ユニット内におけるナースコール親機５０ａ、５０ｂへの呼び出しを別途のナースコール親機に転送させるにあたり、１台のナースコール親機５０ｃに転送させるように設定したが、呼出転送先もユニットとして設定することができ、この場合に、転送された同一ユニット内全てのナースコール親機の表示部を構成するＬＣＤ、有機ＥＬ等にて「被転送中」の表示が行われるばかりでなく、ベッド子機からの呼び出しがあることを示す呼出音や音声メッセージを全てのナースコール親機５０ａ、５０ｂ、５０ｃの呼出通話部５０６ａ、５０６ｂ、５０６ｃを構成するスピーカからそれぞれ出力させることができる。
【００８７】
また、本発明の実施例によるナースコールシステムでは、１０１号室、１０２号室、・・・、２０１号室、２０２号室、・・・、・・・のような病室内の各ベッドに設置されるベッド子機を、病室毎４台づつとしたが、この台数に限定されず、個室として病室を使用する場合、または大部屋として病室を使用する場合には、病室毎で任意の台数を設置することができる。
【００８８】
また、本発明の実施例によるナースコールシステムでは、１０１号室、１０２号室、・・・、２０１号室、２０２号室、・・・、・・・のような病室毎のトイレ内にトイレ子機３１ａ、３１ｂ、・・・、３２ａ、３２ｂ、・・・、・・・を設置する当該システムを適用したが、これらのトイレ子機が不備とされる当該システムの適用も好適である。
【００８９】
さらに、本発明の実施例によるナースコールシステムでは、複数のナースコール親機の台数を３台として、それぞれのナースコール親機５０ａ、５０ｂ、５０ｃを１階で異なる２箇所のナースステーション内、２階ナースステーション内に設置したが、この台数の限定されず、ナースステーションの数（部屋数）に応じて任意の台数設けることができる。
【図面の簡単な説明】
【００９０】
【図１】本発明の実施例によるナースコールシステムの全体構成を示すシステム説明図。
【図２】本発明の実施例によるナースコールシステムにおいて、ナースコール制御機の記憶部に記憶される各種テーブル（親機呼出受付テーブル、ユニット呼出受付テーブル、ユニット設定・呼出転送テーブル）の一例を示す説明図。
【符号の説明】
【００９１】
１１ａ〜１４ａ、１１ｂ〜１４ｂ、・・・ ２１ａ〜２４ａ、２１ｂ〜２４ｂ、・・・……ベッド子機
４１ａ、４１ｂ、・・・、４２ａ、４２ｂ、・・・ ・・・……廊下灯
５０ａ、５０ｂ、５０ｃ……（複数の）ナースコール親機
５００ａ、５００ｂ、５００ｃ……表示部
５０１ａ、５０１ｂ、５０１ｃ……設定部
５０２ａ、５０２ｂ、５０２ｃ……第１の一斉放送起動部
５０３ａ、５０３ｂ、５０３ｃ……第２の一斉放送起動部
５０４ａ、５０４ｂ、５０４ｃ……親機ユニット設定部
５０５ａ、５０５ｂ、５０５ｃ……呼出転送部
５０ｄ……集中ナースコール親機
５１ａ、５１ｂ、・・・……携帯端末
５２……基地局
５３……交換機
５４……ナースコール制御機
５４０……記憶部
【図１】
2006034711.tif 000003
【図２】
2006034711.tif 000004